(57)【特許請求の範囲】
【請求項１】
少なくとも身体の肩部から腹部及び背部にかけての部分を覆う衣料であって、
前記肩部から背部における少なくとも左右夫々の肩甲骨を覆うように配設された第１の強緊迫部と、この第１の強緊迫部から下方側に突設された突設部と、前記第１の強緊迫部の下方側、且つ、この突設部の左右の両側方側の夫々に配設された弱緊迫部とを備え、
前記第１の強緊迫部と突設部とは、前記弱緊迫部よりも伸長応力が強くなるように構成され、
前記突設部は、上下方向の長さが前記第１の強緊迫部よりも長く、且つ、上下方向の伸長応力が前記第１の強緊迫部よりも強くなるように構成されていることを特徴とする衣料。
【請求項２】
前記第１の強緊迫部は、第１コース〜第８コースの８コース分の糸使いを１組とし、順次下方側に繰り返し用いられてフロート編みのコースとプレーン編みのコースとが交互になるように編まれており、
前記第１コース及び第５コースには、綿糸と、ウーリーナイロン糸とが用いられ、
前記第２コース、第４コース、第６コース、及び第８コースには、シングルカバードヤーンと、前記ウーリーナイロン糸とが用いられ、
前記第３コース及び第７コースには、前記ウーリーナイロン糸が用いられていることを特徴とする請求項１記載の衣料。
【請求項３】
前記第１の強緊迫部は、左肩甲骨を覆うように配設された左片と、右肩甲骨を覆うように配設された右片とを備え、
それらの左片と右片とは、互いの間に間隙が形成されるように配設され、
前記間隙に、それらの左片及び右片よりも伸長応力の弱い間隙被覆部が設けられていることを特徴とする請求項１又は２に記載の衣料。
【請求項４】
前記衣料は、身体の左右夫々のバストを包み込むバスト包み込み部と、これらのバスト包み込み部夫々の全周部に配設された第２の強緊迫部と、それらのバスト包み込み部の下端と第２の強緊迫部との間に配設されたバスト受け部とを、更に備え、
前記第２の強緊迫部は、その上端が前記第１の強緊迫部の上端に連結され、
前記バスト受け部は、前記バスト包み込み部よりも伸長応力が強く、前記第２の強緊迫部よりも伸長応力が弱くなるように構成されていることを特徴とする請求項１〜３のいずれか一項に記載の衣料。
【請求項５】
前記衣料は、身体の腹部に当たるように配設された第３の強緊迫部を、更に備え、
前記弱緊迫部は、前記突設部に連結されるとともに、その突設部から前方側に回されて第３の強緊迫部に連結され、
前記第３の強緊迫部は、前記弱緊迫部よりも伸長応力が強くなるように構成されていることを特徴とする請求項１〜４のいずれか一項に記載の衣料。
【請求項６】
前記弱緊迫部の下方側に、その弱緊迫部よりも伸長応力の強い第４の強緊迫部が設けられていることを特徴とする請求項１〜５のいずれか一項に記載の衣料。
【請求項７】
前記弱緊迫部は、前記第１の強緊迫部、前記突設部、前記第３の強緊迫部、及び第４の強緊迫部と異なる編み方で編まれ、もしくは異なる素材を用い、又はそれらを組み合わせることによって構成され、
前記バスト受け部と第２の強緊迫部とバスト包み込み部とは、夫々、異なる編み方で編まれ、もしくは異なる素材を用い、又はそれらを組み合わせることによって構成されていることを特徴とする請求項６記載の衣料。
【発明の詳細な説明】
【技術分野】
【０００１】
本願発明は、少なくとも身体の肩部から腹部及び背部にかけての部分を覆う衣料に関するものである。
【背景技術】
【０００２】
従来から、少なくとも身体の肩部から腹部及び背部にかけての部分を覆う衣料として、例えば肌着の後身頃の生地に、弾性糸を織り又は編み込み、且つ肌着の下端に、肌着のずり上がり防止用の止め具を設けた姿勢補正具付肌着が提案されている（特許文献１）。
【特許文献１】実開平２−１２１０２０号公報
【発明の開示】
【発明が解決しようとする課題】
【０００３】
しかしながら、上記特許文献１のものにおいては、肌着の後身頃のほぼ全体に、伸長応力が均一になるように弾性糸を織り又は編み込んでいるため、上半身の全体の動きが規制されてしまう。その結果、上半身を動かせ難く、違和感のあるものになってしまうという問題点がある。
【０００４】
又、上記特許文献１のものにおいて、肌着の下端に止め具を、編み工程とは別途に設けなければならず、製造工程が増えると共に、製造コストが高くついてしまう。
【０００５】
本願発明は、上半身を動かせ易く、しかも、上半身を姿勢の良い状態にできる衣料を提供することを目的とする。
【０００６】
又、本願発明は、製造工程が従来に比して増えることがなく、低コストで製作できる衣料を提供することを目的とする。
【課題を解決するための手段】
【０００７】
本願発明は、次の特徴を有するものを提供することにより、上記課題を解決する。本願の請求項１記載の発明は、少なくとも身体の肩部から腹部及び背部にかけての部分を覆う衣料であって、前記肩部から背部における少なくとも左右夫々の肩甲骨を覆うように配設された第１の強緊迫部と、この第１の強緊迫部から下方側に突設された突設部と、前記第１の強緊迫部の下方側、且つ、この突設部の左右の両側方側の夫々に配設された弱緊迫部とを備え、前記第１の強緊迫部と突設部とは、前記弱緊迫部よりも伸長応力が強くなるように構成され、前記突設部は、上下方向の長さが前記第１の強緊迫部よりも長く、且つ、上下方向の伸長応力が前記第１の強緊迫部よりも強くなるように構成されていることを特徴とする衣料である。
又、請求項２記載の発明は、前記第１の強緊迫部は、第１コース〜第８コースの８コース分の糸使いを１組とし、順次下方側に繰り返し用いられてフロート編みのコースとプレーン編みのコースとが交互になるように編まれており、前記第１コース及び第５コースには、綿糸と、ウーリーナイロン糸とが用いられ、前記第２コース、第４コース、第６コース、及び第８コースには、シングルカバードヤーンと、前記ウーリーナイロン糸とが用いられ、前記第３コース及び第７コースには、前記ウーリーナイロン糸が用いられていることを特徴とする。
【０００８】
請求項３記載の発明は、前記第１の強緊迫部が、左肩甲骨を覆うように配設された左片と、右肩甲骨を覆うように配設された右片とを備え、それらの左片と右片とは、互いの間に間隙が形成されるように配設され、前記間隙に、それらの左片及び右片よりも伸長応力の弱い間隙被覆部が設けられていることを特徴とする。
【０００９】
請求項４記載の発明は、前記衣料が、身体の左右夫々のバストを包み込むバスト包み込み部と、これらのバスト包み込み部夫々の全周部に配設された第２の強緊迫部と、それらのバスト包み込み部の下端と第２の強緊迫部との間に配設されたバスト受け部とを、更に備え、前記第２の強緊迫部は、その上端が前記第１の強緊迫部の上端に連結され、前記バスト受け部は、前記バスト包み込み部よりも伸長応力が強く、前記第２の強緊迫部よりも伸長応力が弱くなるように構成されていることを特徴とする。
【００１０】
請求項５記載の発明は、前記衣料が、身体の腹部に当たるように配設された第３の強緊迫部を、更に備え、前記弱緊迫部は、前記突設部に連結されるとともに、その突設部から前方側に回されて第３の強緊迫部に連結され、前記第３の強緊迫部は、前記弱緊迫部よりも伸長応力が強くなるように構成されていることを特徴とする。
【００１１】
請求項６記載の発明は、前記弱緊迫部の下方側に、その弱緊迫部よりも伸長応力の強い第４の強緊迫部が設けられていることを特徴とする。
【００１２】
請求項７記載の発明は、前記弱緊迫部が、前記第１の強緊迫部、前記突設部、前記第３の強緊迫部、及び第４の強緊迫部と異なる編み方で編まれ、もしくは異なる素材を用い、又はそれらを組み合わせることによって構成され、前記バスト受け部と第２の強緊迫部とバスト包み込み部とは、夫々、異なる編み方で編まれ、もしくは異なる素材を用い、又はそれらを組み合わせることによって構成されていることを特徴とする。
【発明の効果】
【００１３】
本願発明の請求項１によれば、肩部から背部における少なくとも左右夫々の肩甲骨を覆うように配設された第１の強緊迫部を、身体の背部における左右両側の肩甲骨及びその近傍に当てることができ、例えば僧帽筋に当てることができる。これにより、例えば僧帽筋を伸ばして背部を丸めると、第１の強緊迫部の伸長応力によってその伸ばした僧帽筋に元の状態に戻すような力をかけることができ、姿勢の良い状態に戻すことができる。
【００１４】
又、その際、突設部によって、第１の強緊迫部がずり上がって肩甲骨の位置からずれ僧帽筋に当たらないようになることを防止できる。また、突設部の左右の両側方側の夫々に弱緊迫部を配設しているため、身体にフィットさせることができ、違和感のないものにできるとともに、他の動きが規制されるようなことがなく、上半身を円滑に動かせることができる。
【００１５】
請求項３によれば、第１の強緊迫部の左片と右片との間に、それらの左片及び右片よりも伸長応力の弱い間隙被覆部が設けられているため、身体にフィットさせ易いものにでき、より一層、姿勢を良くできるとともに、第１の強緊迫部が位置ずれし難いものにできる。又、上半身をより一層、動かせ易いものにできる。
【００１６】
請求項４によれば、バスト包み込み部と、バスト包み込み部の周部に配設された第２の強緊迫部と、バスト受け部とを備えたものとし、そのバスト受け部は、バスト包み込み部よりも伸長応力が強く、第２の強緊迫部よりも伸長応力が弱くなるように構成されているため、第２の強緊迫部によってバストを全周部から押圧するようにしてバスト包み込み部に押し入れることができる。又、その押し入れたバストを、バスト受け部によって下方側からバスト包み込み部に押し上げるようにして受けることができる。これにより、バストをきれいな形に補正できる。
【００１７】
又、第２の強緊迫部を第１の強緊迫部に連結させているため、第１の強緊迫部と相まって、丸めた背部を伸ばすように作用し、より一層、姿勢の良い状態にし易くできる。
【００１８】
請求項５によれば、身体の腹部に当たるように配設された第３の強緊迫部によって、腹部を押さえることができ、きれいな体型にできるとともに、姿勢を良くできる。又、その際、第３の強緊迫部を弱緊迫部に連結しているため、第３の強緊迫部によって動き難くなるようなことを防止できるとともに、身体にフィットさせることができ、第３の強緊迫部の腹部に対する位置ずれを防止できる。
【００１９】
請求項６によれば、弱緊迫部の下方側に、その弱緊迫部よりも伸長応力の強い第４の強
緊迫部が設けられているため、突設部と相まって、第１の強緊迫部のずり上がりを、より一層、効果的に防止できる。又、第４の強緊迫部によって、下方側からめくり上がるのを防止できる。
【００２０】
請求項７によれば、弱緊迫部は、前記第１の強緊迫部、前記突設部、前記第３の強緊迫部、及び第４の強緊迫部と異なる編み方で編まれ、もしくは異なる素材を用い、又はそれらを組み合わせることによって構成されることにより、それらよりも伸長応力が弱いものに形成でき、製作容易なものにできる。又、バスト受け部と第２の強緊迫部とバスト包み込み部とは、夫々、異なる編み方で編まれ、もしくは異なる素材を用い、又はそれらを組み合わせることによって構成されることにより、バスト受け部を、第２の強緊迫部よりも伸長応力が弱く、バスト包み込み部よりも伸長応力が強いものに形成でき、製作容易なものにできる。
【発明を実施するための最良の形態】
【００２１】
以下、本願発明を実施するための最良の形態について、図面を参照しながら詳細に説明する。
【００２２】
図１は、本願発明の衣料の一実施の形態のタンクトップを後方側から見た斜視図、図２は、そのタンクトップの正面図、図３は、そのタンクトップの背面図、図４は、そのタンクトップの側面図である。
【００２３】
この実施形態のタンクトップは、図１、図３に示すように、後面側に第１の強緊迫部１を備えている。この第１の強緊迫部１は、左片１１と、左片１１と同構成を採り左片１１とで左右一対をなす右片１２とを備えている。
【００２４】
左片１１は、肩部から左肩甲骨のほぼ全体を覆い左肩甲骨のほぼ全体に当たるような位置に配設されている。又、右片１２は、肩部から右肩甲骨のほぼ全体を覆い右肩甲骨のほぼ全体に当たるような位置に配設されており、これらによって、着用に際して身体の背部における左右両側の僧帽筋の下部側のほぼ全体に当たるようになっている。
【００２５】
この実施形態の左片１１及び右片１２は、夫々、次のようにして編まれている。まず、使用する糸は、図５に示すように、第１コース及び第５コースには、綿糸と、ウーリーナイロン糸とが用いられている。
【００２６】
第２コース、第４コース、第６コース、及び第８コースには、シングルカバードヤーンと、上記ウーリーナイロン糸とが用いられている。又、第３コース及び第７コースには、ウーリーナイロン糸が用いられている。
【００２７】
そして、このようにして第１コース〜第８コースに用いられた８コース分の糸使いを１組とし、順次下方側に繰り返し用いられている。なお、この糸使いは、後述するタンクトップの全ての部分において同じである。従って、以下の各部の説明において糸使いの説明は省略する。
【００２８】
又、編み方は、第１コースから第１１コースは、フロート編みから開始されフロート編みとプレーン編みとが交互になるように編まれている。又、第１２コースから第２３コースは、プレーン編みから開始されプレーン編みとフロート編みとが交互になるように編まれている。以下、これらが下方側に順次繰り返されるようにして編まれている。
【００２９】
又、これらの左片１１と右片１２とは、図１、図３に示すように、互いの間に、間隙３１が形成されるように配設されている。そして、その間隙３１に、第１の強緊迫部１を構成した左片１１及び右片１２よりも伸長応力の弱い間隙被覆部４が設けられている。この実施形態の間隙被覆部４は、下方側に行くに従って漸次、左右の幅が狭くなるほぼ逆三角形状を呈している。
【００３０】
又、この間隙被覆部４は、図９に示すように、第１コース、第３コース、第５コース及び第７コースが、フロート編みを３回繰り返してプレーン編みを１回入れるようにして編まれている。
【００３１】
第２コース、第４コース、第６コース及び第８コースは、プレーン編みを２回繰り返してフロート編みを１回入れるようにして編まれている。そして、これらの第１コース〜第８コースまでの８コース分の編み方を１組とし、順次下方側に繰り返して編まれている。
【００３２】
又、図３に示すように、上記第１の強緊迫部１を構成した左片１１及び右片１２の下方側には、突設部２が設けられている。この突設部２は、身体に対する第１の強緊迫部１の位置を保持させるためのもので、第１の強緊迫部１を構成した左片１１及び右片１２の下端夫々に連結されているとともに、第１の強緊迫部１から所定長さで下方側に延ばされている。
【００３３】
この実施形態では、突設部２は、帯状片から構成されており、後面のほぼ左右方向の中央に、３０ｍｍ〜５０ｍｍ程度の幅で、上下方向に沿って背骨に沿ようにして、後述の裾部まで（全長２５０ｍｍ程度）延ばされている。
【００３４】
又、この実施形態の突設部２は、図７に示すように第１コース〜第６コース、及び第８コースは、フロート編みから開始されフロート編みとプレーン編みとが交互になるように編まれている。第７コースは、プレーン編みから開始されプレーン編みとフロート編みとが交互になるように編まれている。そして、これらの第１コース〜第８コースまでの８コース分の編み方を１組とし、順次下方側に繰り返して編まれている。
【００３５】
また、図１、図３に示すように、この突設部２の左右の両側方には、夫々、上記第１の強緊迫部１及び突設部２よりも伸長応力の弱い弱緊迫部３が配設されている。この弱緊迫部３は、図１２に示すように、例えば第１コースが全てプレーン編みで編まれ、第２コースがプレーン編みを１２回繰り返してフロート編みを１回入れるようにして編まれる等、プレーン編みとフロート編みとを所定の割合にして順次下方側に編まれている。
【００３６】
又、後面における上記弱緊迫部３夫々の上方側には、図１、図３に示すように、第２の強緊迫部５が設けられている。第２の強緊迫部５は、上記間隙被覆部４と同じ編み構成を採っている。なお、この第２の強緊迫部５については更に後述する。
【００３７】
また、後面における第２の強緊迫部５と左片１１、右片１２との間には、夫々、挟用弱緊迫部６が設けられている。この挟用弱緊迫部６は、上記の弱緊迫部３と同じ編み構成を採っており、後述するように第２の強緊迫部５よりも伸長応力が弱い。
【００３８】
このようにして挟用弱緊迫部６が設けられることにより、左片１１及び右片１２が、挟用弱緊迫部６と間隙被覆部４とによって挟まれているとともに、第２の強緊迫部５は、挟用弱緊迫部６と弱緊迫部３とによって挟まれている。
【００３９】
又、図３に示すように、後面から側部における上記弱緊迫部３の下方側には、第４の強緊迫部としての捲り上がり防止部７が配設されているとともに、この捲り上がり防止部７の下方側に裾部８が配設されている。捲り上がり防止部７は、第２の強緊迫部５と同じ編み構成を採っている。
【００４０】
裾部８は、図８に示すように、第１コース、第３コース、第５コース、及び第７コースは、全てプレーン編みで編まれている。又、第２コース、第４コース、第６コース、及び第８コースは、フロート編みを２回繰り返してプレーン編みを１回入れるようにして編まれている。そして、上記８コース分の編み方を１組とし、順次下方側に繰り返して編まれている。
【００４１】
一方、このタンクトップの前面側における上部側には、図２に示すように、バスト包み込み部１０と、バスト受け部２２とが設けられている。
【００４２】
バスト包み込み部１０は、身体の左右両側夫々のバストを受容して包み込む部分で、前方側にほぼ半球状に突出した袋状のものから構成されている。このバスト包み込み部１０は、図１０に示すように、全てプレーン編みで編まれている。
【００４３】
又、このバスト包み込み部１０の全周部に、上記第２の強緊迫部５が配設されている。詳しくは、第２の強緊迫部５は、突設部２の左右夫々の側端部に連結されているとともに、突設部２から前方側に回されるようにして、バスト包み込み部１０を除く前面側の上部全体に配設されているとともに、上端が、上記第１の強緊迫部１を構成した左片１１及び右片１２夫々の上端に連結されている。
【００４４】
バスト受け部２２は、バストを下方側から受ける部分で、バスト包み込み部１０の下端と第２の強緊迫部５との間に配設されている。このバスト受け部２２は、図１１に示すように、第１コース、第３コース、第５コース、及び第７コースは、フロート編みとプレーン編みとが交互になるように編まれている。又、第２コース、第４コース、第６コース、及び第８コースは、全てプレーン編みで編まれている。そして、上記８コース分の編み方を１組とし、順次下方側に繰り返して編まれている。
【００４５】
又、図２に示すように、前面側の下部側における左右中央部には、身体の腹部に当たるように配設された第３の強緊迫部２１が設けられている。この第３の強緊迫部２１の上端は、第２の強緊迫部５に連結され、左右の両側方から下部にかけての周部は、弱緊迫部３に連結されている。
【００４６】
この第３の強緊迫部２１は、図６に示すように、第１コース、第３コース、第５コース、及び第７コースは、フロート編みを３回繰り返してプレーン編みを１回入れるようにして編まれている。又、第２コース、第４コース、第６コース、及び第８コースは、全てプレーン編みで編まれている。そして、上記８コース分の編み方を１組とし、順次下方側に繰り返して編まれている。
【００４７】
次に、以上のように構成されたタンクトップの各部の伸長応力について、図１３、図１４を参照して以下に説明する。図１３は、タンクトップの後述する部分を左右方向（周方向、図１３のＸ−Ｘ方向）に３０％伸ばした際の伸長応力（３０％時伸長応力）についての測定データを示しており、図１４は、後述する部分を上下方向（図１４のＹ−Ｙ方向）に３０％伸ばした際の伸長応力についての測定データを示したものである。
【００４８】
又、測定部は、第１の強緊迫部１の右片１２、突設部２、間隙被覆部４、第２の強緊迫部５、弱緊迫部３、捲り上がり防止部７、バスト包み込み部１０、及び第３の強緊迫部２１である。なお、図１３、図１４では、測定部を、上記符号を用いて明記している。
【００４９】
又、測定に際して、テストスピード（試験片を伸長する際の速度）を３００ｍｍ／ｍｉｎとし、試験片幅を２５ｍｍとした。また、試験片の掴み間隔は、製作した試験片の都合により、左右方向の伸長応力（図１３に示すもの）の測定に際して、第３の強緊迫部２１が８０ｍｍ、バスト包み込み部１０が６０ｍｍ、弱緊迫部３が１００ｍｍ、突設部２が４０ｍｍ、第２の強緊迫部５が４０ｍｍ、第１の強緊迫部１の右片１２が４０ｍｍ、間隙被覆部４が４０ｍｍ、及び捲り上がり防止部７が１００ｍｍとし、上下方向の伸長応力（図１４に示すもの）の測定に際して、第３の強緊迫部２１が１００ｍｍ、バスト包み込み部１０が８０ｍｍ、弱緊迫部３が８０ｍｍ、突設部２が１００ｍｍ、第２の強緊迫部５が３０ｍｍ、第１の強緊迫部１の右片１２が８０ｍｍ、間隙被覆部４が８０ｍｍ、及び捲り上がり防止部７が６０ｍｍとした。
【００５０】
左右方向の伸長応力は、図１３に示すように、第１の強緊迫部１の右片１２が最も強く、以下、第３の強緊迫部２１、突設部２、第２の強緊迫部５、捲り上がり防止部７、間隙被覆部４、バスト包み込み部１０、弱緊迫部３の順になっている。
【００５１】
又、上下方向の伸長応力は、図１４に示すように、突設部２が最も強く、以下、第１の強緊迫部１の右片１２、捲り上がり防止部７、第３の強緊迫部２１と第２の強緊迫部５、、間隙被覆部４、弱緊迫部３、バスト包み込み部１０の順になっている。
【００５２】
又、この測定データとして図１３、１４に記載していないが、バスト受け部２２の左右方向及び上下方向の伸長応力は、第２の強緊迫部５のそれらよりも弱く、バスト包み込み部１０のそれらよりも強かった。
【００５３】
次に、この実施形態のタンクトップの作用について説明する。この実施形態のタンクトップは、第１の強緊迫部１によって、例えば身体の背部の僧帽筋を伸ばして背部を丸めると、その伸ばした僧帽筋に元の状態に戻すような力をかけることができ、姿勢の良い状態に戻すことができる。
【００５４】
又、その際、突設部２によって、第１の強緊迫部１がずり上がって肩甲骨の位置からずれて僧帽筋に当たらないようになるのを防止できる。また、突設部２の左右の両側方側の夫々に弱緊迫部３を配設しているため、身体にフィットさせることができ、違和感のないものにできるとともに、より姿勢を良くできる。しかも、他の動きが規制されることがなく、上半身を円滑に動かせることができる。
【００５５】
また、第１の強緊迫部１の左片１１と右片１２との間に、それらの左片１１及び右片１２よりも伸長応力の弱い間隙被覆部４が設けられているため、身体にフィットさせ易いものにでき、より一層、第１の強緊迫部１の左片１１と右片１２とが位置ずれし難いものにできる。又、上半身をより一層、動かせ易いものにできる。
【００５６】
更には、第１の強緊迫部１の左片１１及び右片１２夫々の両側に、それらよりも伸長応力の弱い間隙被覆部４と挟用弱緊迫部６とを配設することによって、より一層、身体にフィットさせ易いものにでき、第１の強緊迫部１の左片１１と右片１２とが位置ずれし難いものにできる。
【００５７】
又、挟用弱緊迫部６と弱緊迫部３との間に、第２の強緊迫部５を配設することによって、皺が発生し難いものにでき、身体にフィットさせた状態を維持させ易いものにでき、第１の強緊迫部１の左片１１と右片１２とが位置ずれし難いものにできる。
【００５８】
一方、第２の強緊迫部５によってバストを周部から押圧するようにしてバスト包み込み部１０に押し入れることができる。又、その押し入れたバストを、バスト受け部２２によって下方側から受け、バスト包み込み部に押し上げるように保持させることができる。これにより、バストをきれいな形に補正できる。
【００５９】
又、第２の強緊迫部５を第１の強緊迫部１に連結させているため、第１の強緊迫部１と相まって、丸めた背部を伸ばすように作用し、より一層、姿勢の良い状態にし易くできる。
【００６０】
また、第３の強緊迫部２１によって、腹部を押さえることができ、例えば垂れ下がりぎみに出っ張った腹部でも出っ張りを抑えてきれいな体型にできるとともに、姿勢を良くできる。又、その際、第３の強緊迫部２１を弱緊迫部３に連結しているため、第３の強緊迫部２１によって動き難くなるようなことを防止できるとともに、身体にフィットさせることができ、第３の強緊迫部２１の腹部に対する位置ずれを防止できる。
【００６１】
更に、弱緊迫部３の下方側に、その弱緊迫部３よりも伸長応力の強い捲り上がり防止部７が設けられているため、突設部２と相まって、第１の強緊迫部１のずり上がりを、より一層、効果的に防止できる。又、捲り上がり防止部７が、弱緊迫部３と裾部８との間に、５０ｍｍ〜８０ｍｍ程度の幅で、後面側に配設されることによって、裾部８からの捲り上がりを確実に防止できる。
【００６２】
又、この実施形態では、弱緊迫部は、第１の強緊迫部、突設部、第３の強緊迫部、及び第４の強緊迫部と異なる編み方で編まれることにより、それらよりも伸長応力が弱いものに形成でき、製作容易なものにできる。又、バスト受け部と第２の強緊迫部とバスト包み込み部とは、夫々、異なる編み方で編まれ、これにより、バスト受け部を、第２の強緊迫部よりも伸長応力が弱く、バスト包み込み部よりも伸長応力が強いものに形成でき、製作容易なものにできる。
【００６３】
尚、上記実施形態では、第１の強緊迫部１と突設部２とは、弱緊迫部３よりも、左右方向及び上下方向の伸長応力が強くなるように構成されているが、この形態のものに限らず、第１の強緊迫部１と突設部２とを、弱緊迫部３よりも、少なくとも上下方向の伸長応力が強くなるように構成しておけば良く、適宜変更できる。
【００６４】
また、突設部２は、長尺状の帯状片から構成される形態のものに限らず、例えば三角形等に形成したものから構成しても良く、適宜変更できる。又、突設部２は、１つのものから構成される形態のものに限らず、例えば２以上の長尺状の帯状片から構成しても良く、適宜変更できる。
【００６５】
又、上記実施形態では、弱緊迫部を、第１の強緊迫部、突設部、第３の強緊迫部、及び第４の強緊迫部と異なる編み方で編み、又、バスト受け部と第２の強緊迫部とバスト包み込み部とを、夫々、異なる編み方で編んでいるが、この形態のものに限らず、適宜変更できる。
【００６６】
例えば、弱緊迫部を、伸長応力の弱い糸を用い、第１の強緊迫部、突設部、第３の強緊迫部、及び第４の強緊迫部を、それよりも伸長応力の強い糸を用いることによって弱緊迫部よりも伸長応力の強いものに形成し、或いは、使用する糸と編み方とによって、第１の強緊迫部、突設部、第３の強緊迫部、及び第４の強緊迫部を、弱緊迫部よりも伸長応力の強いものに形成しても良い。
【００６７】
又、上記実施形態では、フロート編みとプレーン編みとを所定の割合にして編んでいるが、フロート編みとプレーン編みとから構成する形態のものに限らず、適宜変更できる。又、フロート編みとプレーン編みとで編む場合において、両者の割合は、上記実施形態のものに限らず、適宜変更できる。
【００６８】
又、本願発明の衣料は、タンクトップとして実施されるものに限らず、例えば身体の肩部等の各部を直接覆ってそれらの各部に当たるシャツ等の下着、キャミソール、その他、下着の上に着てそれらの各部を間接的に覆って各部に当たるトレーニングウエア等にも適用できる。
【図面の簡単な説明】
【００６９】
【図１】本願発明の一実施の形態のタンクトップの斜視図である。
【図２】そのタンクトップの正面図である。
【図３】そのタンクトップの背面図である。
【図４】そのタンクトップの側面図である。
【図５】第１の強緊迫部の左片の編み略図である。
【図６】第３の強緊迫部の編み略図である。
【図７】突設部の編み略図である。
【図８】裾部の編み略図である。
【図９】間隙被覆部の編み略図である。
【図１０】バスト包み込み部の編み略図である。
【図１１】バスト受け部の編み略図である。
【図１２】弱緊迫部の編み略図である。
【図１３】各部の左右方向の伸長応力の測定データを表した図表である。
【図１４】各部の上下方向の伸長応力の測定データを表した図表である。
【符号の説明】
【００７０】
１    第１の強緊迫部
２    突設部
３    弱緊迫部
４    間隙被覆部
５    第２の強緊迫部
６    挟用弱緊迫部
７    捲り上がり防止部（第４の強緊迫部）
１０    バスト包み込み部
２１    第３の強緊迫部
２２    バスト受け部
【図１】
0005185639.tif 000002
【図２】
0005185639.tif 000003
【図３】
0005185639.tif 000004
【図４】
0005185639.tif 000005
【図５】
0005185639.tif 000006
【図６】
0005185639.tif 000007
【図７】
0005185639.tif 000008
【図８】
0005185639.tif 000009
【図９】
0005185639.tif 000010
【図１０】
0005185639.tif 000011
【図１１】
0005185639.tif 000012
【図１２】
0005185639.tif 000013
【図１３】
0005185639.tif 000014
【図１４】
0005185639.tif 000015